(57)【要約】【課題】非接触通信に対応したＩＣチップの使用時に、親カードが提携カードかどうかを判定可能な提携カード管理システム等を提供する。【解決手段】携帯電話１５に、非接触通信に対応したＩＣチップ６８をクレジットカードとして使用するためのクレジットアプリケーションに加え、ＩＣチップ６８の親カードの提携カードのための加盟店アプリケーションをインストールし、親カードのクレジット番号を保持する。携帯電話１５のＩＣチップ６８で決済する場合、携帯電話１５をＲ／Ｗ１７にかざすと、クレジットアプリケーションによる決済処理後、Ｒ／Ｗ１７は加盟店アプリケーションと通信し、携帯電話１５のＩＣチップのメモリ内に格納されている加盟店アプリケーション用クレジット番号を受信し、受信した加盟店アプリケーション用クレジット番号によりＩＣチップ６８の親カードが一般カードか、あるいは提携カードかを判定する。【選択図】図１
2009251981.tif 000002
【特許請求の範囲】
【請求項１】
非接触通信に対応したＩＣチップが搭載された携帯端末と、前記携帯端末と通信するリーダライタと、前記携帯端末および前記リーダライタとネットワークを介して接続されるサーバと、からなる提携カード管理システムであって、
前記携帯端末は、前記ＩＣチップをクレジットカードとして使用するためのクレジットアプリケーションと、前記ＩＣチップの親カードとなる提携カードのための加盟店アプリケーションと、が前記サーバからダウンロードされて、実行可能な状態にインストールされており、
前記リーダライタは、前記クレジットアプリケーションが実行された前記携帯端末との決済時または決済処理後、加盟店アプリケーションが実行された前記携帯端末から前記ＩＣチップ内に格納されている前記提携カードを識別する識別情報を受信し、受信した識別情報により前記ＩＣチップの親カードが一般カードか、あるいは前記提携カードかを判定することを特徴とする提携カード管理システム。
【請求項２】
前記識別情報は、前記提携カードのクレジットカード番号であることを特徴とする請求項１記載の提携カード管理システム。
【請求項３】
前記リーダライタは、更に、前記ＩＣチップの親カードが前記提携カードと判定した場合には、加盟店アプリケーションが実行された前記携帯端末に前記提携カードに関する特典情報を付与することを特徴とする請求項１または請求項２記載の提携カード管理システム。
【請求項４】
非接触通信に対応したＩＣチップが搭載された携帯端末と通信するリーダライタであって、
前記携帯端末の前記ＩＣチップには、クレジットカードとして使用するためのクレジットアプリケーションと、前記ＩＣチップの親カードとなる提携カードのための加盟店アプリケーションと、が実行可能な状態にインストールされており、
前記クレジットアプリケーションが実行された前記携帯端末との決済時または決済処理後、前記加盟店アプリケーションが実行された前記携帯端末から前記ＩＣチップ内に格納されている前記提携カードを識別する識別情報を受信し、受信した識別情報により前記ＩＣチップの親カードが一般カードか、あるいは前記提携カードかを判定することを特徴とするリーダライタ。
【請求項５】
前記識別情報は、前記提携カードのクレジットカード番号であることを特徴とする請求項４記載のリーダライタ。
【請求項６】
更に、前記ＩＣチップの親カードが前記提携カードと判定した場合には、前記加盟店アプリケーションが実行された前記携帯端末に前記提携カードに関する特定情報を付与することを特徴とする請求項４または請求項５記載のリーダライタ。
【発明の詳細な説明】
【技術分野】
【０００１】
本発明は、非接触通信に対応したＩＣチップのクレジットカードに紐付く提携カードの情報を管理する提携カード管理システムに関する。
【背景技術】
【０００２】
クレジットカードには、大きくわけて接触、非接触の２形式の媒体があるが、ここ数年は非接触通信に対応したＩＣチップを搭載した携帯電話のような携帯端末等が大幅に増加している。非接触通信に対応したＩＣチップのクレジットカードの多くは、磁気ストライプのクレジットカードを親カードとした子カード方式で、携帯端末上にアプリケーションとして搭載されることが多い。また、親カードとなるクレジットカードと、子カードとなるＩＣチップのカード番号は同一ではなく、決済時にクレジット発行会社において紐付けされる。（例えば、特許文献１、特許文献２参照）
【０００３】
一方、近年、店舗や企業の会員証カードとクレジットカードのサービスを統合させた提携カードが、流通企業を中心に普及している。提携カードは、ユーザ、店舗あるいは企業、クレジットカード発行会社それぞれにメリットがあり、今後も広く普及すると考えられる。
提携カードでは、クレジットカード番号の数桁を用いて提携カードであることが識別できるようになっている。店舗等で提携カードを使用すると、ポイント付与、割引等の特典が与えられることがあるが、磁気ストライプのクレジットカードを用いて決済した場合、そのクレジットカードが提携カードか、あるいはそうでないかという識別は読み取ったクレジットカード番号により容易に判定できる。
【特許文献１】特開２００４−２８７５９４号公報
【特許文献２】特開２００６−１０６９８８号公報
【発明の開示】
【発明が解決しようとする課題】
【０００４】
しかしながら、親カードと子カードの紐付け作業は一般的にリアルタイムではなく、バッチ処理で後日行われるため、上記の方法では、購入時に子カードを使用した場合、その子カードの親カードをリアルタイムで判別することは難しい状況である。
また、非接触通信に対応したＩＣチップのカード番号を採番する際の規則は現状なく、磁気ストライプのクレジットカードのようにカード番号により提携カードかどうかを識別するということも困難である。従って、ＩＣチップのクレジットカードで決済した場合、親カードが提携カードであるにもかかわらず、提携カードの特典を受けることができないという不利益が発生する。
【０００５】
本発明は、このような問題に鑑みてなされたもので、その目的は、非接触通信に対応したＩＣチップのクレジットカードの使用時に、親カードが提携カードかどうかを判定可能な提携カード管理システム等を提供することである。
【課題を解決するための手段】
【０００６】
前述した目的を達成するために第１の発明は、非接触通信に対応したＩＣチップが搭載された携帯端末と、前記携帯端末と通信するリーダライタと、前記携帯端末および前記リーダライタとネットワークを介して接続されるサーバと、からなる提携カード管理システムであって、前記携帯端末は、前記ＩＣチップをクレジットカードとして使用するためのクレジットアプリケーションと、前記ＩＣチップの親カードとなる提携カードのための加盟店アプリケーションと、が前記サーバからダウンロードされて、実行可能な状態にインストールされており、前記リーダライタは、前記クレジットアプリケーションが実行された前記携帯端末との決済時または決済処理後、加盟店アプリケーションが実行された前記携帯端末から前記ＩＣチップ内に格納されている前記提携カードを識別する識別情報を受信し、受信した識別情報により前記ＩＣチップの親カードが一般カードか、あるいは前記提携カードかを判定することを特徴とする提携カード管理システムである。
【０００７】
前記識別情報は、前記提携カードのクレジットカード番号である。
前記リーダライタは、更に、前記ＩＣチップの親カードが前記提携カードと判定した場合には、加盟店アプリケーションが実行された前記携帯端末に前記提携カードに関する特典情報を付与する。
【０００８】
第２の発明は、非接触通信に対応したＩＣチップが搭載された携帯端末と通信するリーダライタであって、前記携帯端末の前記ＩＣチップには、クレジットカードとして使用するためのクレジットアプリケーションと、前記ＩＣチップの親カードとなる提携カードのための加盟店アプリケーションと、が実行可能な状態にインストールされており、前記クレジットアプリケーションが実行された前記携帯端末との決済時または決済処理後、前記加盟店アプリケーションが実行された前記携帯端末から前記ＩＣチップ内に格納されている前記提携カードを識別する識別情報を受信し、受信した識別情報により前記ＩＣチップの親カードが一般カードか、あるいは前記提携カードかを判定することを特徴とするリーダライタである。
【発明の効果】
【０００９】
本発明によれば、非接触通信に対応したＩＣチップのクレジットカードの使用時に、親カードが提携カードかどうかを判定可能な提携カード管理システム等を提供することができる。
【発明を実施するための最良の形態】
【００１０】
以下、添付図面を参照しながら、本発明に係る提携カード管理システムの好適な実施形態について詳細に説明する。
【００１１】
最初に、図１を参照しながら、本実施の形態に係る提携カード管理システム１について説明する。
図１は、提携カード管理システム１の概要を示す図である。
【００１２】
提携カード管理システム１は、ＩＣチップを搭載した携帯電話１５のような携帯端末と、加盟店アプリケーションサーバ３、クレジットカード管理サーバ９が、インターネット等のネットワーク１９を介して接続している。
Ｒ／Ｗ（リーダライタ）１７は、提携カードの加盟店である店舗等に設置されており、携帯電話１５等に搭載された非接触通信に対応したＩＣチップとの通信、処理を行う。
【００１３】
携帯電話１５は非接触通信に対応したＩＣチップを搭載しており、各種会員証、ポイントカード、ポイント機能付きクレジットカードの他、鉄道やバス・旅客機の乗車券・航空券等の機能を持つことができる。
携帯電話１５は、基地局（図示しない）を介してネットワーク１９に接続し、加盟店アプリケーションサーバ３等と通信する。
また、携帯電話１５はＩＣチップをクレジットカードとして使用するためのクレジットアプリケーションに加えて、ＩＣチップが提携カードの子カードである場合は加盟店アプリケーションをインストールしている。
【００１４】
携帯電話１５の所有者が、店舗等で商品、サービス等を購入し、クレジットカードとしてのＩＣチップで決済しようとする場合、店舗等に設置されているＲ／Ｗ（Ｒｅａｄ／Ｗｒｉｔｅ）１７に携帯電話１５をかざして決済を行う。Ｒ／Ｗ１５は、ネットワーク１９等を介して加盟店アプリケーションサーバ３、クレジットカード管理サーバ９に接続している。
携帯電話１５のＩＣチップが、店舗の提携カードの子カードであると判断されると、ＩＣチップで決済時にポイント付加、割引等の特典情報の付与が、提携カードと同様に行われる。
【００１５】
加盟店アプリケーションサーバ３は、ＡＳＰ（Ａｐｐｌｉｃａｔｉｏｎ  Ｓｅｒｖｉｃｅ  Ｐｒｏｖｉｄｅｒ）等に設置されるサーバで、携帯電話１５等に搭載されているＩＣチップのカード番号である子カード番号と、ＩＣチップの親カードとなる提携カードのカード番号である親カード番号等を関連付けて保持している提携カード情報ＤＢ５と、加盟店アプリケーションを携帯電話１５にインストールするのに必要となるデータ等を含む加盟店アプリケーションダウンロード用ＤＢ７を有する。
【００１６】
クレジットカード管理サーバ９は、カード発行会社等に設置されるサーバで、クレジットカードの決済処理等を実行する。
クレジットカード管理サーバ９は、クレジットカードに関する情報、子カードに関する情報等を保持するカード情報ＤＢ１１を有する。
【００１７】
次に、図２、３を参照しながら、加盟店アプリケーションサーバ３について説明する。
図２は、加盟店アプリケーションサーバ３のハードウエア構成を示す図、図３は、提携カード情報ＤＢ５の提携カード情報データ３１の詳細を示す図である。
【００１８】
加盟店アプリケーションサーバ３は、バス２８により相互接続された制御部２１、記憶装置２２、メディア入出力部２３、入力部２４、印刷部２５、表示部２６、通信部２７等を有する。
【００１９】
制御部２１は、プログラムの実行を行うＣＰＵ（Ｃｅｎｔｒａｌ  Ｐｒｏｃｅｓｓｉｎｇ  Ｕｎｉｔ）と、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリから構成される。制御部２１は、加盟店アプリケーションサーバ３全体の動作を制御する。
【００２０】
記憶装置２２は、加盟店アプリケーションサーバ３の制御プログラム等の固定データ、各種データ等を格納するための記憶媒体である。
メディア入出力部２３は、ＣＤ−ＲＯＭ(Ｃｏｍｐａｃｔ  Ｄｉｓｃ  Ｒｅａｄ  Ｏｎｌｙ  Ｍｅｍｏｒｙ)あるいはＣＤ−ＲＷ（ＣＤ−ＲｅＷｒｉｔａｂｌｅ）、フレキシブルディスク、ＭＯ(Ｍａｇｎｅｔｏ  Ｏｐｔｉｃ  Ｄｉｓｃ)等の媒体のドライブで、媒体からのデータの読み出しや、媒体へのデータの書き込みを行う。
【００２１】
入力部２４は、キーボード、マウス等の入力装置である。
印刷部２５はプリンタで、ユーザからの要求により必要な情報等の印刷を行う。
表示部２６は、ＣＲＴあるいはＬＣＤ等の表示装置である。
通信部２７は、通信制御装置、通信ポート等であり、ネットワーク１９を介し通信を制御する。
【００２２】
加盟店アプリケーションサーバ３が有する提携カード情報ＤＢ５は、図３に示す提携カード情報データ３１を有する。提携カード情報データ３１は、提携カード会員の提携クレジット番号３３と、子カードとなる非接触通信に対応したＩＣチップのカード番号である子カード番号３５を有する。
携帯電話１５が加盟店アプリケーションをインストールしようとする際、提携カード情報ＤＢ５の提携カード情報データ３１から必要な情報をインストールする。
【００２３】
次に、図４、５を参照しながら、クレジットカード管理サーバ９について説明する。
図４は、クレジットカード管理サーバ９のハードウエア構成を示す図、図５は、カード情報ＤＢ１１のカード情報データ５１の詳細を示す図である。
【００２４】
クレジットカード管理サーバ９は、バス４８により相互接続された制御部４１、記憶装置４２、メディア入出力部４３、入力部４４、印刷部４５、表示部４６、通信部４７等を有する。
【００２５】
制御部４１は、プログラムの実行を行うＣＰＵと、ＯＳ、プログラム命令あるいはデータ等を格納するためのＲＯＭ、ＲＡＭ等のメモリから構成される。制御部４１は、クレジットカード管理サーバ９全体の動作を制御する。
【００２６】
記憶装置４２は、クレジットカード管理サーバ９の制御プログラム等の固定データ、各種データ等を格納するための記憶媒体である。
メディア入出力部４３は、ＣＤ−ＲＯＭあるいはＣＤ−ＲＷ、フレキシブルディスク、ＭＯ等の媒体のドライブで、媒体からのデータの読み出しや、媒体へのデータの書き込みを行う。
【００２７】
入力部４４は、キーボード、マウス等の入力装置である。
印刷部４５はプリンタで、ユーザからの要求により必要な情報等の印刷を行う。
表示部４６は、ＣＲＴあるいはＬＣＤ等の表示装置である。
通信部４７は、通信制御装置、通信ポート等であり、ネットワーク１９を介し通信を制御する。
【００２８】
クレジットカード管理サーバ９のカード情報ＤＢ１１は、図５に示すカード情報データ５１を有する。
カード情報データ５１は、親カードであるクレジットカードのカード番号であるクレジット番号５３と、子カードである携帯電話１５等の非接触通信に対応したＩＣチップのカード番号である子カード番号５５等を有する。
加盟店アプリケーションサーバ３は、定期的にカード情報ＤＢ１１のカード情報データ５１から、提携カードに関するカード情報データ５１を受信し、提携カード情報ＤＢ５に格納する。
【００２９】
次に、図６、７を参照しながら、携帯電話１５について説明する。
図６は、携帯電話１５のハードウエア構成を示す図、図７は、携帯電話１５のメモリ６６の詳細を示す図である。
【００３０】
図６に示すように、携帯電話１５は、制御部６１、無線通信部６２、表示部６３、入力部６４、通話処理部６５、メモリ６６、ＩＣチップＩ／Ｆ６７、ＩＣチップ６８等がバス６９を介して接続される。
【００３１】
制御部６１は、プログラムの実行を行うＣＰＵと、ＯＳ、プログラム命令あるいはデータ等を格納するためのＲＯＭ、一時的な作業用データを格納するためのＲＡＭ等のメモリから構成される。制御部６１は、携帯電話１５全体を制御する。
【００３２】
無線通信部６２は、基地局（図示しない）との間で行われる無線通信を制御する。無線通信部６２は、制御部６１の制御の下、音声に関するデータやパケット通信用のデータ等の信号を生成し、基地局に送信したり、あるいは、基地局から送信される無線信号を受信し、受信した信号を復調して音声に関するデータやパケット通信用のデータを取得する。
【００３３】
表示部６３は液晶表示パネル等を有し、表示制御を行う。
入力部６４は、数字や文字、操作指示を入力するためのキーボタン等を有し、キーボタンの操作に応じた信号を制御部３１に出力する。
通話処理部６５は、マイクロフォンやスピーカ、音声処理部等を有し、制御部６１の制御により呼接続、切断処理を含む通話処理を行う。
メモリ６６は、携帯電話１５にインストールされているアプリケーションプログラムや、電話番号及びメールアドレス等のアドレス帳データ等が格納されている。
【００３４】
ＩＣチップＩ／Ｆ６７は、ＩＣチップ６８と接続しており、制御部６１とＩＣチップ６８間のシリアル通信を制御する。ＩＣチップＩ／Ｆ６７が、ＩＣチップ６８とＲ／Ｗ１７等との間の非接触通信を制御するようにしてもよい。
【００３５】
ＩＣチップ６８は、ＦｅｌｉＣａ（登録商標）ＩＣチップ、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カード等の非接触通信に対応したＩＣチップで、内部に携帯電話１５のユーザの電話番号、契約している携帯電話事業者等の情報等を記録している。
【００３６】
図７に示すように、携帯電話１５のメモリ６６はＯＳ７１、クレジットアプリケーション７２、加盟店アプリケーション７３等を有する。
ＯＳ７１は、携帯電話１５の制御部６１が実行するプログラム全体を制御するプログラムである。
クレジットアプリケーション７２は、携帯電話１５に搭載されているＩＣチップ６８の決済処理を実行するプログラムである。
加盟店アプリケーション７３は、ＩＣチップ６８の親カードであるクレジットカードが提携カードである場合にインストールされるプログラムで、提携カードのポイント管理や、ユーザへのポイント表示等を行う。
【００３７】
次に、図８、９を参照しながら、ＩＣチップ６８について説明する。
図８は、ＩＣチップ６８のハードウエア構成を示す図、図９は、ＩＣチップ６８のメモリ８４の詳細を示す図である。
【００３８】
図８に示すように、ＩＣチップ６８は、ＣＰＵ８１、ＲＯＭ８２、ＲＡＭ８３、メモリ８４、通信部８５がバス８６を介して接続される。
【００３９】
ＣＰＵ８１は、プログラムの実行を行う。ＲＯＭ８２は、プログラム命令あるいはデータ等を格納する。ＲＡＭ８３は、プログラムの実行中、一時的にデータ等を格納する。
メモリ８４は、ＩＣチップ６８の動作に必要となるデータ等を保存している。
通信部８５は、携帯電話１５あるいはＲ／Ｗ１７との通信を行う。
【００４０】
図９に示すように、ＩＣチップ６８のメモリ８４は、クレジットアプリケーション用子カード番号９２、加盟店アプリケーション用クレジット番号９３等を有する。
クレジットアプリケーション用子カード番号９２は、携帯電話１５のＩＣチップ６８のクレジットカード番号で、携帯電話１５のメモリ６６にインストールされているクレジットアプリケーション７２が使用するＩＣデータである。
加盟店アプリケーション用クレジット番号９３は、携帯電話１５のＩＣチップ６８の親カードとなる提携カードのクレジットカード番号である。
【００４１】
次に、Ｒ／Ｗ１７について説明する。
図１０は、Ｒ／Ｗ１７のハードウエア構成を示す図、図１１は、Ｒ／Ｗ１７の記憶装置１０２の詳細を示す図である。
【００４２】
Ｒ／Ｗ１７は、クレジットカードとしてのＩＣチップ６８に対する決済を行うため、店舗等に設置される。
図１０に示すように、Ｒ／Ｗ１７は、バス１０６により相互接続された制御部１０１、記憶装置１０２、入力部１０３、表示部１０４、通信部１０５等を有する。
【００４３】
制御部１０１は、プログラムの実行を行うＣＰＵと、プログラム命令あるいはデータ等を格納するためのＲＯＭ、ＲＡＭ等のメモリから構成される。制御部１０１は、Ｒ／Ｗ１７全体の動作を制御する。
記憶装置１０２は、制御プログラム等の固定データ、プログラム等を格納する記憶媒体である。
入力部１０３は、Ｒ／Ｗ１７へデータを入力するための入力装置である。
表示部１０４は、ＬＣＤ等の表示装置である。
通信部１０５は、携帯電話１５等との通信を制御する。
【００４４】
図１１に示すように、Ｒ／Ｗ１７の記憶装置１０２は、Ｒ／Ｗ１７全体を制御するためのＯＳ１１１、Ｒ／Ｗ１７の動作を制御するためのＲ／Ｗ用アプリケーション１１２等を有する。
【００４５】
次に、図１２、１３を参照しながら、提携カード管理システム１の実施形態の動作について説明する。
図１２は、携帯電話１５に加盟店アプリケーション７３をインストールする処理の流れを示すフローチャート、図１３は、携帯電話１５に搭載したＩＣチップ６８を用いて決済を行う際の処理の流れを示すフローチャートである。
【００４６】
携帯電話１５に搭載しているＩＣチップ６８が提携カードの子カードである場合、携帯電話１５のユーザは、ＩＣチップ６８で決済処理を行うためのクレジットアプリケーション７２のインストールに加えて、加盟店アプリケーション７３をインストールする。
図１２に示すように、携帯電話１５は、ネットワーク１９を介して加盟店アプリケーションサーバ３のサイトにアクセスすることにより、あるいは、メールや２次元バーコード等により、加盟店アプリケーション７３をダウンロードするための初期化ＵＲＬ（Ｕｎｉｆｏｒｍ  Ｒｅｓｏｕｒｃｅ  Ｌｏｃａｔｏｒ）を取得してアクセスすることにより、加盟店アプリケーションサーバ３に加盟店アプリケーション７３のダウンロードを要求する（ステップ２０１）。
【００４７】
加盟店アプリケーションサーバ３は、携帯電話１５送信されるパラメータから不正等が行われていないかどうか判定し、携帯電話１５に加盟店アプリケーション７３のダウンロードを許可する（ステップ２０２）。
携帯電話１５は、加盟店アプリケーションサーバ３の加盟店アプリケーションダウンロード用ＤＢ７から加盟店アプリケーション７３をダウンロードしてメモリ６６にインストールし、また、加盟店アプリケーション７３に必要となる加盟店アプリケーション用クレジット番号９３をＩＣチップ６８のメモリ８４にインストールし（ステップ２０３）、ダウンロード完了を加盟店アプリケーションサーバ３に通知する（ステップ２０４）。
携帯電話１５に加盟店アプリケーション７３がインストールされていることにより、携帯電話１５に搭載されているＩＣチップ６８は、提携カードの子カードであることが判別される。
【００４８】
携帯電話１５に搭載されているＩＣチップ６８を用いて、提携カードの加盟店である店舗で決済を行う場合、図１３に示すように、ユーザが携帯電話１５を店舗に設置されているＲ／Ｗ１７に携帯電話１５をかざすと、Ｒ／Ｗ１７は携帯電話１５のＩＣチップ６８のメモリ８４内にある加盟店アプリケーション用子カード番号を読み取り、クレジットの決済処理を行う（ステップ３０１）。
【００４９】
決済処理終了後、Ｒ／Ｗ１７は携帯電話１５に加盟店アプリケーション７３がインストールされているかどうか問い合わせ（ステップ３０２）、携帯電話１５が加盟店アプリケーション７３をインストールしていることを応答すると（ステップ３０３）、Ｒ／Ｗ１７は、携帯電話１５のＩＣチップ６８にＩＣチップ６８の親カードのクレジット番号を問い合わせる（ステップ３０４）。
携帯電話１５のＩＣチップ６８は、メモリ８４内の加盟店アプリケーション用クレジット番号９３を読み出し、Ｒ／Ｗ１７に送信する（ステップ３０５）。Ｒ／Ｗ１７は、受信した加盟店アプリケーション用クレジット番号９３が提携カードのクレジット番号かどうかを判定し、提携カードのクレジット番号の場合、提携カードとしてポイント付与、割引等の特典情報の付与処理をする（ステップ３０６）。
【００５０】
このように本実施によれば、非接触通信に対応したＩＣチップの使用時に、親カードが提携カードかどうかを判定可能な提携カード管理システム等を提供することができる。
非接触通信に対応したＩＣチップを処理するクレジットアプリケーションに加え、加盟店アプリケーションを携帯電話にインストールして、非接触通信に対応したＩＣチップの親カードのクレジット番号を保持することにより、既存の非接触通信に対応したＩＣチップのためのクレジットアプリケーションを修正することなく、非接触通信に対応したＩＣチップで決済する際に親カードが一般カードか、あるいは提携カードを判別することが可能となる。
【００５１】
加盟店アプリケーションをインストールすることにより、各種提携カード毎に券面デザインとなる携帯画面を自由にレイアウトすることができ、既存のカードと同様に独自性を保つことが可能となる。
【００５２】
携帯電話のＩＣチップ内に非接触通信に対応したＩＣチップの親カードのクレジット番号を格納することがセキュリティ上懸念がある場合、親カードのクレジット番号の代わりに一般カード、提携カードの区別が可能な番号等を格納するようにしてもよい。
【００５３】
以上、添付図面を参照しながら本発明に係る提携カード管理システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００５４】
【図１】提携カード管理システム１の概要を示す図
【図２】加盟店アプリケーションサーバ３のハードウエア構成を示す図
【図３】提携カード情報ＤＢ５の提携カード情報データ３１の詳細を示す図
【図４】クレジットカード管理サーバ９のハードウエア構成を示す図
【図５】カード情報ＤＢ１１のカード情報データ５１の詳細を示す図
【図６】携帯電話１５のハードウエア構成を示す図
【図７】携帯電話１５のメモリ６６の詳細を示す図
【図８】ＩＣチップ６８のハードウエア構成を示す図
【図９】ＩＣチップ６８のメモリ８４の詳細を示す図
【図１０】Ｒ／Ｗ１７のハードウエア構成を示す図
【図１１】Ｒ／Ｗ１７の記憶装置１０２の詳細を示す図
【図１２】携帯電話１５に加盟店アプリケーション７３をインストールする処理の流れを示すフローチャート
【図１３】携帯電話１５に搭載したＩＣチップ６８を用いて決済を行う際の処理の流れを示すフローチャート
【符号の説明】
【００５５】
１………提携カード管理システム
３………加盟店アプリケーションサーバ
５………提携カード情報ＤＢ
７………加盟店アプリケーションダウンロード用ＤＢ
９………クレジットカード管理サーバ
１１………カード情報ＤＢ
１５………携帯電話
１７………Ｒ／Ｗ
１９………ネットワーク
【図１】
2009251981.tif 000003
【図２】
2009251981.tif 000004
【図３】
2009251981.tif 000005
【図４】
2009251981.tif 000006
【図５】
2009251981.tif 000007
【図６】
2009251981.tif 000008
【図７】
2009251981.tif 000009
【図８】
2009251981.tif 000010
【図９】
2009251981.tif 000011
【図１０】
2009251981.tif 000012
【図１１】
2009251981.tif 000013
【図１２】
2009251981.tif 000014
【図１３】
2009251981.tif 000015